(57)【要約】      （修正有）【課題】携帯が簡便で何時でも何処でも設置可能な肘付き椅子と、その椅子に座ったままでも、手許で荷物を取り扱うことができる袋体、例えば、リュックサックとの組み合わせによる椅子付の袋体を提供する。【解決手段】折り畳み式肘付き椅子を、その椅子の一端側に袋体、例えば、該椅子の開脚方向と直角の方向に対してリュックサックを固定するもので、該リィックサックに対し、肩掛けのショルダーベルトやウエストベルトなどを該椅子へ装着したものである。【選択図】図１
2006175033.tif 000002
【特許請求の範囲】
【請求項１】
折り畳み椅子が載置去れたときに該椅子の側方へ、背負うためのベルトを取り付けた袋体の裏側部分を結合したものであって、該折畳み椅子は床上又は地面上に開脚設置し腰掛けるように構成されており、該椅子へ座る方向に対し直角方向に置かれる袋体から手元で荷物の取り出し等を座ったまま可能とし、また折り畳んで背負って携行時、該袋体と背負いベルト装着部とを結節できるようにした折畳み椅子付袋体。
【請求項２】
前記ベルトは折畳み椅子の袋体から反対側の該椅子端部へ取り付けられていることを特徴とする請求項1記載の折畳み椅子付袋体
【請求項３】
前記折り畳み椅子の折畳み方向は、袋体に対し、平行又は直角方向であることを特徴とする請求項１又は2記載の折畳み椅子付袋体
【発明の詳細な説明】
【技術分野】
【０００１】
この発明は袋体、例えば、リュックサック等と折畳み椅子との組み合わせにかかる結合構造に関するものである。
【背景技術】
【０００２】
アウト・ドア指向の広まりにより、袋体である各種のリュックサックや折り畳み椅子についての関心が高まっている。折畳み椅子については、付属品をつけたもの、足置きが設けられたもの、構造上等の改良が従来よりなされている。
【０００３】
又折畳み椅子と袋体を結合させたものもあり、椅子は袋体に対して背中側に設けられているものがあり、座る場合に袋体は背中側に来るように結合されているので、座った場合に、取出しにくい問題点があった。
【特許文献１】特開２００１−７８８５４号公報
【特許文献２】特開２００３−３１０３８１号公報
【特許文献３】特開２００１−１６１４９３号公報
【特許文献４】特開平８−２４０４５号公報
【特許文献３】特開平１１−２８５４０７号公報
【発明の開示】
【発明が解決しようとする課題】
【０００４】
従来リュックサックや鞄などの横や前後に、折り畳み椅子を収納したりする構造の携帯用具もあるが、折り畳み椅子の開脚着座時に荷物がすぐ手元に届く範囲にあるものではなく、使い勝手が悪い。また折り畳み椅子部も小さく、手を載せる台（以下肘掛部とする）も無くゆったり座れない。
【課題を解決するための手段】
【０００５】
このために本発明の袋体としてのリュックサック部１と折り畳み椅子部２の結合構造は、折り畳み椅子部２の左右の肘掛部一方にショルダーベルト３の1対とウエストベルト４の1対とを配し、もう片側に少なくとも１箇所の横引き方向のファスナー式開口部を持つ蓋付きのリュックサック部１の裏側を接合し、腰掛時にそのまま荷物の出し入れ作業が出来るようにした。また椅子部折り畳み時は、それぞれの肘掛部上部を結合してコンパクトに背負って携行可能としたものを提供する。
【発明の効果】
【０００６】
本発明の椅子とリュックサック部との結合構造は、ゆったりした座り心地と、袋体が該椅子の横方向にあるので、座ったままで荷物の取り出しが簡単にでき、運搬時は折り畳んでコンパクト化し、しかも確りと結着できるので、ずり落ちることもなく、何時でもどこでも休んだり、又携帯したりすることの可能な簡便な帯行収納道具となる。
【発明を実施するための最良の形態】
【０００７】
図１に示す実施例の斜視図には、リュックサック１は、フレーム２ｂからなる内外枠を形成しており、一対の金属製ロの字型外側枠９、１２と、該一対外側枠９、１２の間に、1組の金属製コの字型内側枠８、８を備えている。外側枠９，９は、椅子の背もたれ支部５、５となる上方へ連続して延びている。内側枠８、８はX字状にクロスしており、中支点軸７で折畳めるようになっている。
【０００８】
内側枠８、８の上側にはシート2aが張られており、背もたれ支部５、５まで延出して、折畳み椅子を形成している。
ここで、要は、折畳み椅子２は、図１に示すように、リュックサック１とは該リュックサック１の非背負い側である裏側とその折畳み椅子部２の側方とが結合されるように取り付けられていることである。
即ち、袋体の背負い方向に対して、座る人の方向が直角であれば、開脚方向は問わないことになる。この実施例では、畳み方向は、リュックサック１に対して平行な方向に折畳まれるようになっている。
【０００９】
又、折畳み椅子部２とリュックサック１とは、止め金具１１，１１によって、内側枠８，８と各々結合されおり、例えば、止め金具１１，１１は、ピン等で回動自在に取り付けられている。
更には、布等の結合部材となる固定ベルト１ｃでリュックサック１と外側枠９の上下を結合している。
又フレーム２ｂの一つである内側枠８のリュックサック1側の下端部は沸き支点軸１０でピンで回動できるように取り付けられている。
【００１０】
折畳み椅子部２には、フレーム２ｂの外側枠１２へショルダーベルト３およびウエストベルト４をそれぞれ上下に固定されている。
詳しくは、ショルダーベルト３は、外側枠１２の上側で、該ベルト３の端部は、図３に示すように、外側枠１２の下端両側に固定される。
又ウエストベルト３は、外側枠１２の側端部へ固定される。
従って、椅子２を介して各ベルトを身体に締め付けるので、確りと固定できるのがわかる。
【００１１】
図２は、本実施例の左側リュックサック部１を正面に見たものであるが、これは上部に蓋を持つ紐閉じ式の開口部がある一例であって、下部胴体には蓋付きの水平に開くファスナー部１ｂ、１ｂを少なくとも１箇所以上持ち、折り畳み椅子２開脚時には、その位置関係から座ったままで中の荷物を取り扱うことが出来るようになっている。
【００１２】
図３および図４は、本実施例の背負い部の反対側と側面から椅子部を見たものである。外側枠１２にショルダーベルト３とウエストベルト４とを固定し、ウエストベルト４にはフック６ａ，６ｂを装着して、体にフィットできる構造とし、携行を安定した体制でおこなうことを可能にした。
【００１３】
図５は本実施例の折り畳み椅子部２を畳んだ状態の左側面図であるが、上部結合ベルト２ｃによって折り畳み椅子部２と共に結束し、リュックサック１と折畳み椅子部２との結合することで、確りと結着できるので安全でありコンパクト化して背負って携行するのに便利とした。
【００１４】
次に図７乃至１０に示すものは、他の実施例であって、特に、折り畳み方向が、前記実施例とは異なり、リュックサック１に対し、直角な方向に畳まれるものである。
従って、椅子部２を折畳んだ後に、リュウクサック１又は椅子部２のいずれかを９０度回転して取り付けることになる。図７では、最初に矢印Ａの方向に畳み、次いで矢印Ｂの方向に畳んでリュックサック１に着けることになる。
その後のベルト等の使用は先の実施例と同じである。
又、図７に示すように、使用時には、椅子部２が直接地面に触れないように、脚１３を設けることが示されている。更に、同図７に示すように非使用時には、該脚を折畳めるようにしておけば、コンパクトとする事も可能である。
【００１５】
図１１以降は、他の実施例を示すものであって、椅子部２を折畳んだときに、折畳み椅子部２が、図１２でよく示すように、一直線上に収まるものとして構成されている。この状態を、図１３でみれば、椅子部２のフレームがリュックサック１側のフレーム内に全部収まっている状態が示されている。
【００１６】
図１４及び図１５には、コの字型内側枠８に止め金具１１１が取り付けられており、該留め金具１１１の端部には、交差する他の内側枠８が、折畳んだときに収納されるコの字状の曲げられた部材１１１ｂが設けられており、溝111a内をピン１１１ｃが滑って、収納時に該部材内へ収納される。
図１３に示すように、折畳まれるためには、リュックサック部１側のフレーム２ｂに対して、他方の側のフレーム２ｂが、先のフレーム２ｂ内へ折畳まれるように、より小さく構成されている。従って、同図１３に示すように、左右は同じ寸法でないのが理解される。しかしながら、折畳んだ後は、リュックサック部１にぴったりとフィットして担ぎ易くコンパクトととなり、景観上も好ましいものとなる。
【００１７】
以上説明してきたように、本発明は、上記実施例に限定されることなく、本発明の技術思想の範囲内で当業者によって種々の変形が可能であることは勿論である。
【図面の簡単な説明】
【００１８】
【図１】本発明の一実施例を示す斜視図である。
【図２】同左正面図である
【図３】同背面図である
【図４】同折畳み椅子のフレーム部のみの図である
【図５】同折り畳み椅子部を折り畳んだ側面図である
【図６】同椅子が開いた状態の正面図である。
【図７】本発明の他の実施例であって背後から見た斜視図である。
【図８】同背面図である。
【図９】同側面図である。
【図１０】同折畳んだ側面から見た図である。
【図１１】本発明の他に実施例であって、正面側からみた斜視図である
【図１２】同実施例の側面図である
【図１３】同横側面からみた図である。
【図１４】同折畳み部分の拡大図である。
【図１５】同上記の詳細図である。
【符号の説明】
【００１９】
１      リュックサック部
１ａ    リュックサック部蓋
１ｂ    ファスナー部
１ｃ    固定ベルト
２      折り畳み椅子部
２ｂ    フレーム
２ｃ    上部結合ベルト
３      ショルダーベルト
４      ウエストベルト
５      背もたれ支部
６ａ    フック雄
６ｂ    フック雌
７      中支点軸
８      コの字型内側枠
９      ロの字型外側枠
１０    脇支点軸
１１    止め金具
１２    ロの字型外側枠
【図１】
2006175033.tif 000003
【図２】
2006175033.tif 000004
【図３】
2006175033.tif 000005
【図４】
2006175033.tif 000006
【図５】
2006175033.tif 000007
【図６】
2006175033.tif 000008
【図７】
2006175033.tif 000009
【図８】
2006175033.tif 000010
【図９】
2006175033.tif 000011
【図１０】
2006175033.tif 000012
【図１１】
2006175033.tif 000013
【図１２】
2006175033.tif 000014
【図１３】
2006175033.tif 000015
【図１４】
2006175033.tif 000016
【図１５】
2006175033.tif 000017
【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
背当てのシートを持つ折畳み椅子と袋体の裏側部分を結合し、該折畳み椅子は床上又は地面上に開脚設置し腰掛けられるように構成されており、且つ該椅子へ座る方向に対して、背当てとなるシートを持つ折畳み椅子は該袋体に対し直角方向に設けられており、開脚設置時袋体から側手元で荷物の取り出し等を座ったまま可能とし、また折り畳んで背負って携行時、折畳み椅子に設けられている背負いベルトによって背負うことができるようにした折畳み椅子付袋体。
【請求項２】
前記背負いベルト及びショルダーベルト３は折畳み椅子が取り付けられている袋体から反対側の該椅子端部へ取り付けられていることを特徴とする請求項1記載の折畳み椅子付袋体
【請求項３】
前記折り畳み椅子の折畳み方向は、袋体に対し、平行又は直角方向であることを特徴とする請求項１又は2記載の折畳み椅子付袋体
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
背当てのシートを持ち一意的に座る方向が定まる折畳み椅子と袋体の裏側部分を取り付け用の枠を介して結合し、該折り畳み椅子は床上又は地面上に開脚設置し腰掛けられるように構成されているとともに、且つ椅子の使用時には袋部が直接地面に触れないように、折り畳み可能な脚を設け、背当てとなるシートを持ち一意的に座る方向が定まる折畳み椅子は該袋体に対し直角方向に設けられており、該折畳み時は椅子の座る部分を該袋体の裏側部分に対し直角方向に折り畳んだ後、背当て部を９０°回転させて折り畳み、該袋体の裏側部分に対し着けることで一体化でき、且つ該椅子へ座る方向に対して、折畳み時は椅子の座る部分を該袋体の裏側部分に対し直角方向に折り畳んだ後、背当て部を９０°回転させて、袋体の裏側部分に対し、着けることで一体化し、開脚設置時には袋体の側方の手元で荷物の取り出し等を座ったまま可能とし、また折り畳んで背負って携行時、折畳み椅子に設けられている背負いベルトによって背負うことができるようにした折畳み椅子付袋体。
【請求項２】
背当てのシートを持ち一意的に座る方向が定まる折畳み椅子と袋体の裏側部分を一体に結合し、一意的に座る方向が定まる該折畳み椅子は床上又は地面上に開脚設置し腰掛けられるように構成されており、且つ該椅子へ座る方向に対して、背当てとなるシートを持つ折畳み椅子は該袋体に対し直角方向に設けられており、開脚設置時袋体の側の手元で荷物の取り出し等を座ったまま可能とし、また折り畳んで背負って携行時、折畳み椅子に設けられている背負いベルトによって背負うことができるようにしたものであって、該折畳み椅子は袋体の裏側に対する方向へ折り畳めるものとするものとし、前記結合する椅子のフレームと反対方向のフレームが折り畳むときに、前記フレームに対して、該フレーム内へ反対方向のフレームが収納されるよう小さくなるよう構成されている折畳み椅子付袋体。